(57)【要約】      （修正有）【課題】残存歯根のための圧縮キャップおよび残存歯根を乾燥させる方法を提供する。【解決手段】残存歯根５のための前記圧縮キャップ１は、残存歯根５を取り囲む吸収性フォーム塊８を受け入れるための中空間隙を有する。前記中空間隙は、膨張性フォーム塊８のための試薬を受け入れるため、そして残存歯根５を受け入れるために一方の端に開口部を有しており、前記開口部へ向かう方向に肉厚が減少する壁によって取り囲まれている。開口部の縁１４は、前記圧縮キャップ１が溝１９に対して歯肉嚢１８の領域における残存歯根５の歯間乳頭１７に対して押し付けられた状態にある場合に開口部の縁１４がシール１６を構成するような種類の空間プロファイル１５を有する。【選択図】図１０
2007222330.tif 000002
【特許請求の範囲】
【請求項１】
残存歯根（５）のための圧縮キャップであって、前記圧縮キャップ（１）が残存歯根（５）を取り囲む吸収性フォーム塊（８）を受け入れるための中空間隙（７）を有し、前記中空間隙（７）が前記フォーム塊（８）のための試薬（１０、１１）を受け入れるため、および前記残存歯根（５）を受け入れるために一方の端で開口部（９）を有し、そして前記中空間隙（７）はその肉厚（ｄ）が前記開口部に向かう方向に減少する壁（１３）によって取り囲まれており、そして前記開口部の縁（１４）は、前記圧縮キャップ（１）が溝（１９）のために歯肉嚢（１８）の領域内で残存歯根（５）の歯間乳頭（１７）に押し付けられた状態にある場合に前記開口部の前記縁（１４）がシール（１６）を構成するような種類の空間プロファイル（１５）を有する圧縮キャップ。
【請求項２】
前記圧縮キャップが、好ましくはシリコーンであるエラストマー材料を備えることを特徴とする、請求項１に記載の圧縮キャップ。
【請求項３】
前記圧縮キャップが、圧縮性材料、好ましくは体液（６）を吸収できる圧密詰め綿および／または体液を吸収できるフェルトおよび／または体液を吸収できるフォームを備えることを特徴とする、請求項１に記載の圧縮キャップ。
【請求項４】
前記圧縮キャップが、可塑性に変形可能である軟質の弾力性材料を備えることを特徴とする、請求項１に記載の圧縮キャップ。
【請求項５】
前記圧縮キャップ（１）が、円筒形の外部輪郭（２１）を有することを特徴とする、請求項１〜４の１項に記載の圧縮キャップ。
【請求項６】
前記圧縮キャップ（１）が、楕円形の断面を有することを特徴とする、請求項１〜４の１項に記載の圧縮キャップ。
【請求項７】
前記圧縮キャップが、長方形の断面および平滑な表面を有する外面を有することを特徴とする、請求項１〜４の１項に記載の圧縮キャップ。
【請求項８】
前記中空間隙（７）が、前記底部領域（２２）において半球形の内部輪郭（２３）を有することを特徴とする、先行する請求項の１項に記載の圧縮キャップ。
【請求項９】
前記壁（１３）が、円筒形の内部輪郭（２４）を有することを特徴とする、先行する請求項の１項に記載の圧縮キャップ。
【請求項１０】
前記壁（１３）が、放物線状の内部輪郭（２５）を有することを特徴とする、請求項１〜８の１項に記載の圧縮キャップ。
【請求項１１】
前記壁（１３）が、円錐形の内部輪郭（２６）を有することを特徴とする、請求項１〜８の１項に記載の圧縮キャップ。
【請求項１２】
前記壁（１３）が、楕円形の内部輪郭を有することを特徴とする、請求項１〜８の１項に記載の圧縮キャップ。
【請求項１３】
前記壁（１３）が段付き内部輪郭を有することを特徴とする、先行する請求項の１項に記載の圧縮キャップ。
【請求項１４】
前記開口部（９）の領域内の肉厚（ｄ）が、歯のエナメル質の厚さに一致することを特徴とする、先行する請求項の１項に記載の圧縮キャップ。
【請求項１５】
前記開口部の縁（１４）が円板形であり、そしてプロファイル（１５）内では、歯肉嚢（１８）の領域内の歯間乳頭（１７）に押し付けられたときにぴったりと適合する２つの対向して配置された凹所（１２）を有することを特徴とする、先行する請求項の１項に記載の圧縮キャップ。
【請求項１６】
前記開口部の縁（１４）内の前記対向して配置された凹所（１２）の各々が、空間プロファイル（１５）として円の扇状体を備えることを特徴とする、請求項１５に記載の圧縮キャップ。
【請求項１７】
前記圧縮キャップが、相互に隣接して配列された複数の残存歯根を同時に乾燥させるために相互に隣接して配置された複数の中空間隙を備えることを特徴とする、先行する請求項の１項に記載の圧縮キャップ。
【請求項１８】
前記圧縮キャップが、複数の残存歯根を乾燥させるために相互に隣接して配置された１列の中空間隙を備えており、１列に配列された複数の中空間隙から、個別圧縮キャップ、または複数の圧縮キャップを分離するために、仕切壁が中空間隙の間に配列され、仕切溝が仕切壁間に配列されることを特徴とする、請求項１５に記載の圧縮キャップ。
【請求項１９】
請求項１〜１８の１項に記載の圧縮キャップ（１）によって残存歯根（５）およびその周囲領域を乾燥させる方法であって、前記方法が下記の：
−  ミキサおよびディスペンサの第１チャンバ内へ第１試薬（１０）を沈着させるステップと；
−  ミキサおよびディスペンサの第２チャンバ内へ第２試薬（１１）を沈着させるステップと；
−  前記ミキサの混合チャンバ内で前記２種の試薬を混合するステップと；
−  所定量の前記混合された試薬を圧縮キャップ内および／または残存歯根上へ分注するステップと；
−  前記圧縮キャップ（１）の中空間隙（７）内に残存歯根（５）を挿入することによって前記圧縮キャップ（１）を装着するステップと；
−  溝（１９）を密封するために、前記圧縮キャップ（１）の開口部で空間的にプロファイルされた前記縁（１４）を歯肉嚢（１８）の領域内の残存歯根（５）の歯間乳頭（１７）に押し付けるステップと；
−  前記混合した試薬（１０、１１）から前記吸収性フォーム塊（８）を形成させるステップと；
−  体液（６）をフォーム塊（８）に吸い上げさせるステップと；および
−  粘着性フォーム（８）と一緒に前記圧縮キャップ（１）を抜去することによって前記フォーム（８）を抜去するステップと、を備える方法。
【請求項２０】
請求項１〜１８の１項に記載の圧縮キャップ（１）によって残存歯根（５）およびその周囲領域を乾燥させる方法であって、前記方法が下記の：
−  ディスペンサ内に、低温条件下に保存された単一成分フォームの成分を沈着させるステップと；
−  所定量の前記単一成分フォームを圧縮キャップ内および／または残存歯根上へ分注するステップと；
−  前記圧縮キャップ（１）の中空間隙（７）内に前記残存歯根（５）を挿入することにより前記圧縮キャップ（１）を装着するステップと；
−  溝（１９）を密封するために、前記圧縮キャップ（１）の開口部で空間的にプロファイルされた縁（１４）を前記歯肉嚢（１８）の領域内の残存歯根（５）の歯間乳頭（１７）に押し付けるステップと；
−  前記単一成分フォームから前記吸収性フォーム塊（８）を形成させるステップと；
−  体液（６）をフォーム塊（８）に吸い上げさせるステップと；および
−  粘着性フォーム（８）と一緒に前記圧縮キャップ（１）を抜去することによって前記フォーム（８）を抜去するステップと、を備える方法。
【発明の詳細な説明】
【技術分野】
【０００１】
本発明は、変形可能であり、そして任意で体液に関して吸収性である材料を備える、残存歯根のための圧縮キャップに関する。このために、前記圧縮キャップは残存歯根を受け入れるための中空間隙を有する。
【０００２】
そのような種類の圧縮キャップは、「Ｃｏｍｐｒｅｃａｐ」の商品名で知られている。これらの圧縮キャップは、残存歯根の印象採得の技術的準備のために役立つ。そのような印象を採得する前に、残存歯根の表面およびその周囲領域、特にその溝とともに歯肉嚢から体液を取り除いて乾燥させなければならない。そのために、これまでは１０％塩化アルミニウム六水和物の収斂性止血液を含有する圧排糸が歯の周囲に巻き付けられ、歯肉嚢の中へ押し込まれていた。含浸させた圧排糸の止血剤は、循環の機能障害を引き起こすことはなく、歯肉を前処置するために役立つ。そのような種類の圧排糸によって、歯肉嚢の溝が広げられ、血液や唾液などの余分な体液が吸い上げられる。
「Ｃｏｍｐｒｅｃａｐ」は、圧排糸を歯肉嚢の溝の中にできる限り深く押し込むため、そして歯肉嚢を広げるために、残存歯根上にできる限りぴったりと嵌って誘導される補助器具として使用されている。それと同時に、圧縮キャップは、表面を乾燥させるため、そして残存歯根を取り囲んでいる領域内の体液を吸い上げるために役立つ。基本的には、圧縮キャップは、残存歯根の周囲に事前に巻き付けた圧排糸を残存歯根のエナメル質−セメント質界面の範囲まで推し進めるために役立つ。そのためには、圧排糸を歯の周囲のエナメル質−セメント質界面の範囲まで推し進めるために、圧縮キャップが残存歯根にできる限りぴったりと適合することが不可欠である。
【０００３】
図１２は、圧縮キャップ４の形状にあるそのような種類の補助器具を示しており、図１２ａ）は圧縮キャップ４の底面図、図１２ｂ）は圧縮キャップ４を貫く長手方向断面図、および図１２ｃ）は圧縮キャップ４の平面図を示している。いわゆる「Ｃｏｍｐｒｅｃａｐ」の形状にあるそのような種類の圧縮キャップ４は、様々なサイズで利用できるので、それらは様々な容積の残存歯根に適合させることができる。図１２ａ）の底面図は圧縮キャップが円筒形であることを示しており、図１２ｂ）は圧縮キャップが、底部領域２２において半円形の内部輪郭２３および、その肉厚が開口部の縁１４に向かう方向に減少するわずかにテーパ付けされた内壁２６を有する中空間隙７を有することを示している。開口部の縁１４は平坦なプロファイルを有しているので、開口部の表面１４の周囲全体にわたって圧排糸へ均一な接触厚を加えることができる。図１２ｃ）では、先行技術による圧縮キャップ４の開口部の縁１４が円板形であり、開口部の縁１４の領域における肉厚は開口部の縁を歯肉嚢の溝の中に挿入できるように選択されるｄであることを見て取ることができる。
その圧縮キャップは、それが圧排糸上へ圧力を加えるための単なる技術的ツールであり、そのように実施する際は、残存歯根の印象を採得する前に溝を可能な程度まで幅広く広げるという欠点を有する。このプロセスにおいて、圧排糸を適用する、そして圧縮キャップを溝の中に導入する両方の手技は、残存歯根の印象を採得するための極めて疼痛性の準備手段を構成することが見いだされている。同様に、圧排糸を挿入する場合そして開口部の縁を溝の中に押し込む場合に、溝自体から体液が取り除かれる程度に関しては、治療を実施する当業者に大きく左右される。したがって、圧縮キャップそのものならびに残存歯根およびそれらの周辺の両方を乾燥させるための手技には相当に大きな短所が付きまとっている。
したがって、残存歯根を取り囲んでいる領域内、そして残存歯根上の領域内の体液をできる限りより完全に吸い上げる必要があり、そしてさらに、そのために適合する圧縮キャップを提供する必要がある。
【発明の開示】
【発明が解決しようとする課題】
【０００４】
本発明の課題は、第１に残存歯根の印象を採得する準備をするための新規方法を規定すること、ならびにこれまでに入手可能な圧縮キャップと比較して改良されたデザインを有し、そして残存歯根および取り囲んでいる歯肉嚢の乾燥をより少ない時間の消費によって行なうことができ、さらに新規圧縮キャップの形状にある改良されたツールを用いて可能になる新規方法にとって機能的に適切な構造様式を有する圧縮キャップを提供することである。
【課題を解決するための手段】
【０００５】
この課題は、独立請求項の主題によって解決される。本発明の有益な発展は、従属請求項の中に見いだされるはずである。
本発明によると、室温で変形可能である物質を備える残存歯根のための圧縮キャップが提供される。本発明による圧縮キャップは、残存歯根を取り囲む吸収性かつ膨張性プラスチック塊を受け入れるための中空間隙を有する。中空間隙は、膨張性フォーム塊のための試薬を受け入れるため、および残存歯根を受け入れるために一方の端で開口部を有しており、開口部へ向かう方向に肉厚が減少する壁によって取り囲まれている。開口部の縁は、圧縮キャップが溝のために歯肉嚢の領域内で残存歯根の歯間乳頭へ押し付けられた状態にある場合に開口部の縁がシールを構成するような種類の空間プロファイルを有する。
この圧縮キャップは、まず第１にその開口部の縁が残存歯根の周囲の溝の中には押し入れられず、むしろその開口部のプロファイルされた縁が残存歯根の周囲の領域を密封するという長所を有する。したがって、この圧縮キャップを用いると、残存歯根を乾燥させて準備するために完全に新規の方法を実施することが可能であり、このとき溝を広げるために、もはや対応する拡張ツールを使用して歯の周囲で溝の中に圧排糸を挿入することは必要ではない。さらにまた、引き続いて圧縮キャップの相当に鈍な平面状の環状縁を溝の中に押し入れることももはや必要ではなく、むしろ今度は開口部のプロファイルされた縁を使用して溝を広げるために歯肉嚢を密封し、膨張性吸収性フォームによって溝から体液を取り除くことができる。したがって本発明による圧縮キャップの動作様式および構造は先行技術とは顕著に相違しており、例えば印象採得法のための準備において、残存歯根およびその周囲領域の改良されたより完全な乾燥を可能にする。
圧縮キャップは、好ましくは変形可能な材料としてエラストマー材料を備える。エラストマー材料は、シールを形成できるように歯間乳頭にぴったりと接触し、口腔から圧縮キャップの中空間隙を効果的に密封する。エラストマー材料としては、例えばシリコーンが使用される。
【０００６】
好ましい実施態様では、圧縮キャップは、変形可能な材料として、同時に吸収性である材料を備える。好ましくは、そのために、圧縮キャップは体液を吸収できる圧密詰め綿および／または体液を吸収できるフェルトおよび／または体液を吸収できるフォームを備える。それらの材料は、開口部のプロファイルされた縁の領域でそれらがシールを形成するように、歯肉嚢の歯間乳頭にぴったりと収まるように十分に柔軟性であるという長所を有する。さらに、その方法で歯間乳頭にぴったりと接触する結果として、圧縮キャップは中空間隙が周囲領域から密封されることを保証するので、試薬から形成された膨張性フォーム塊は残存歯根の周囲に広がって溝内の深部へ達する。
本発明の有益な実施態様のために、圧縮キャップは、変形可能な材料として、可塑性に変形可能である弾力性材料を備える。そのような種類の材料は、それが適合して曲がることのできる、そして歯間乳頭上にぴったりと適応し、良好な密封を保証するという長所を有する。
本発明のさらに別の好ましい実施態様では、圧縮キャップが円筒形の外部輪郭を有する。円筒形の外部輪郭は、圧縮キャップが抜去される間に回転するのを可能にする。この工程では、フォームが膨張するため、そして一部の場合にはさらに圧縮キャップの材料の特性のためにその材料の中で徐々に終結した、吸収性の膨張したフォーム塊は、好ましくはキャップと一緒に回転させ、そして残存歯根から単純に抜去することができる。
さらにまた別の好ましい実施態様では、圧縮キャップが楕円形の断面を有する。この断面は、特定の形状の歯のために企図されているが、残存歯根の表面からフォームを抜去するためのこのキャップの回転が妨害されるという問題を有している。さらにまた別の実施態様によると、本発明による圧縮キャップは複数の圧縮キャップを相互に隣接して使用できるように、相互に対向するように配置された少なくとも２つの面上に平坦な表面を有していてよい。さらに、圧縮キャップは長方形の断面を有していてよく、そして平滑な表面を有する外面を有していてよい。これは、圧縮キャップを優れた方法で取り扱うことができ、例えばフォーム塊の出発材料を中空間隙内に確実に挿入するために準備期に確実に配置できるという長所を有する。
本発明のまた別の実施態様では、中空間隙がその底部領域において半球形の内部輪郭を有する。そのような種類の内部輪郭は、半球形が、ゲルの形状にある、もしくは他の粘度を有する吸収性かつ膨張性フォーム塊の第１試薬を既に保持できるという長所を有している。
【０００７】
本発明のさらにまた別の実施態様では、壁が円筒形の内部輪郭を有する。そのような種類の円筒形の内部輪郭は、圧縮キャップの肉厚を最小限に抑えることができ、そしてその結果として、極度に小さくかつ薄く作製できるという長所を有する。
本発明のさらに別の好ましい実施態様では、圧縮キャップが放物線状の内部輪郭を有する壁を有する。中空間隙の底部領域内に既に沈着されている第１試薬のための内部輪郭が放物線状の場合は、その第１試薬を次に第２試薬との反応のために利用して膨張性フォームを形成することも可能である。
さらに、壁が円錐形の内部輪郭を有することも可能である。次にその円錐形の内部輪郭に試薬を受け入れるための半球形もしくは球形のキャップ形底部領域が続いてよい。
さらに、壁が楕円形の内部輪郭を有することも可能であるが、その場合には内部輪郭はちょうど半楕円形を構成するので、圧縮キャップの肉厚は開口部の縁に向かう方向に減少する。
壁（１３）は、好ましくは段付きの内部輪郭を有する。そのために、内部輪郭の段は、円筒形、放物線状、楕円形もしくは円錐形の内部輪郭の部分を段階的に備えることができる。この実施態様は、それが残存歯根の形状に密接に適合できるという長所を有する。
さらに、開口部の領域での肉厚を歯のエナメル質の厚さに一致させることも可能である。圧縮キャップの肉厚がそのような寸法にされている場合は、残存歯根から歯のエナメル質が取り除かれていること、そして残存歯根が実質的に象牙質から構成されることが有益である。
開口部の縁は好ましくは慣習的圧縮キャップの場合と同様に円板形であるが、この円板形のプロファイルは、歯列間の歯肉嚢の領域において歯間乳頭に押し付けられたときにぴったりと適合する２つの対向して位置する凹所によって実質的に変形させられる。開口部の縁におけるそれらの凹所は、好ましくは空間プロファイルとして円の扇状体もしくは半円を備える。したがって、凹所を構成しない空間プロファイルの領域は、歯間で歯間乳頭を被覆するそれらの領域より歯肉の上方にさらに伸長することができる。これは有益にも、上記の密封を保証し、圧縮キャップが溝の中に押し入れられず、むしろ膨張性フォームがまず最初に溝の中で広がって次に歯肉嚢の体液全部を効果的に吸い上げ、残存歯根を取り囲んでいる領域および残存歯根自体を乾燥させるために溝を広げることを保証する。
さらに、相互に隣接して配列された複数の残存歯根を同時に乾燥させるために相互に隣接して配置された複数の中空間隙を備える圧縮キャップを提供することも可能である。そのような種類の圧縮キャップは、特に複数の隣接する残存歯根を乾燥させるときに確実に取り扱えるという長所を有する。最後に、複数の残存歯根を乾燥させるために相互に隣接して配置された１列の中空間隙を備え、仕切溝に沿って限定数または個々の圧縮キャップの所望の分離を作り出すことによって、個々の圧縮キャップ、または複数の圧縮キャップを１列に配列された複数の中空間隙から分離するために、仕切壁が中空間隙間に配列されており、仕切溝が仕切壁間に配列されている圧縮キャップを提供することもさらに可能である。
【０００８】
上記の説明にしたがって圧縮キャップによって残存歯根およびその周囲領域を乾燥させる方法は、下記の方法ステップを備える。第１に、第１試薬が吸収性膨張性プラスチック塊を形成するために圧縮キャップの中空間隙の底部領域内に沈着させられる。残存歯根は、次に吸収性フォーム塊を形成するために第２試薬で湿潤させられる。引き続いて、圧縮キャップが圧縮キャップの中空間隙内に残存歯根を挿入するステップによって装着される。次に、圧縮キャップの開口部の空間的にプロファイルされた縁は、溝を密封するために歯肉嚢の領域内の残存歯根の歯間乳頭に押し付けられる。これは、好ましくは歯列を相互に閉鎖するステップまたは押し付けるステップによって実施できる。第２試薬で湿潤させられた残存歯根が圧縮キャップの中空間隙の底部領域内の第１試薬に浸漬させられると、吸収性かつ膨張性フォーム塊が２種の試薬の反応の結果として形成される。この工程において、フォーム塊は歯肉嚢の溝の中に進入する。体液はフォーム塊によって吸い上げられる。最後に、フォームは、粘着性フォームと一緒に圧縮キャップを抜去することによって残存歯根の歯肉嚢の乾燥した表面から抜去することができる。
この方法は、大きな疼痛を引き起こすことなく短縮された工程時間で実施できるという長所を有する。溝の領域内の残存歯根の厄介な巻き付けおよびそれに続く慣習的圧縮キャップによる相当に疼痛性の溝の中への圧排糸の押し入れは完全に回避される。したがって、残存歯根を取り囲んでいる領域の歯肉上への新規圧縮キャップの心地よい適合は、残存歯根およびそれを取り囲んでいる領域の表面の乾燥を生じさせ、この方法は迅速で確実であり、無痛法で溝を広げる。
【０００９】
圧縮キャップによって残存歯根およびその周囲領域を乾燥させるさらにまた別の好ましい方法は、下記の：
−  ミキサおよびディスペンサの第１チャンバ内へ第１試薬を沈着させるステップと；
−  ミキサおよびディスペンサの第２チャンバ内へ第２試薬を沈着させるステップと；
−  前記ミキサの混合チャンバ内で２種の試薬を混合するステップと；
−  所定量の混合された試薬を圧縮キャップ内および／または残存歯根上へ分注するステップと；
−  前記圧縮キャップの中空間隙内に残存歯根を挿入することにより前記圧縮キャップを装着するステップと；
−  前記溝を密封するために、前記圧縮キャップの開口部で空間的にプロファイルされた縁を歯肉嚢の領域内の残存歯根の歯間乳頭に押し付けるステップと；
−  混合した試薬から前記吸収性フォーム塊を形成させるステップと；
−  前記歯肉嚢の溝の中に前記フォーム塊を進入させるステップと；
−  体液をフォーム塊に吸い上げさせるステップと；
−  粘着性フォームと一緒に前記圧縮キャップを抜去するステップによって歯肉嚢および残存歯根の乾燥した表面から前記フォームを抜去するステップと、を備える。
本方法は、例えばスタティックミキサを有するダブルチャンバシリンジなどのディスペンサと一緒にミキサを使用した結果として、圧縮キャップが混合物と接触する前に、混合される試薬の正確な計量を実施できるという長所を有する。
【００１０】
圧縮キャップによって残存歯根およびその周囲領域を乾燥させるさらにまた別の方法は、下記の：
−  ディスペンサ内に、低温条件下に保存された単一成分フォームを沈着させるステップと；
−  所定量の前記単一成分フォームを圧縮キャップ内に分注するステップと；
−  前記圧縮キャップの中空間隙内に残存歯根を挿入することによる前記圧縮キャップを装着するステップと；
−  前記溝を密封するために、前記圧縮キャップの開口部で空間的にプロファイルされた縁を歯肉嚢の領域内の残存歯根の歯間乳頭に押し付けるステップと；
−  前記単一成分フォームから前記吸収性フォーム塊を形成させるステップと；
−  前記歯肉嚢の溝の中に前記フォーム塊を進入させるステップと；
−  体液をフォーム塊に吸い上げさせるステップと；
−  粘着性フォームと一緒に前記圧縮キャップを抜去することによって歯肉嚢および残存歯根の乾燥した表面から前記フォームを抜去するステップと、を備える。
本方法は、前記単一成分フォームが暖まった場合にのみ材料が膨張する、そして前記単一成分フォームを含有する圧縮キャップが残存歯根または歯間乳頭に押し付けられるとすぐに前記フォーム塊が前記単一成分フォームから形成されるという長所を有する。
圧縮キャップによって残存歯根およびその周囲領域を乾燥させるさらにまた別の方法では、下記の：
−  ディスペンサ内に、低温条件下に保存された単一成分フォームの成分を沈着させるステップと；
−  前記ディスペンサからの前記単一成分フォームを用いて残存歯根を湿潤させるステップと；
−  前記圧縮キャップの中空間隙内に残存歯根を挿入するステップによって前記圧縮キャップを装着するステップと；
−  前記溝を密封するために、前記圧縮キャップの開口部で空間的にプロファイルされた縁を歯肉嚢の領域内の残存歯根の歯間乳頭に押し付けるステップと；
−  前記単一成分フォームから前記吸収性フォーム塊を形成させるステップと；
−  前記歯肉嚢の溝の中に前記フォーム塊を進入させるステップと；
−  体液をフォーム塊に吸い上げさせるステップと；
−  粘着性フォームと一緒に前記圧縮キャップを抜去することによって歯肉嚢および残存歯根の乾燥した表面から前記フォームを抜去するステップと、を備える。
本方法は、前記圧縮キャップに前記単一成分フォームが充填されず、むしろ前記残存歯根がそれにより湿潤させられる点で先行方法とは相違する。フォーム塊の形成は残存歯根の湿潤とともに始まるので、前記圧縮キャップは短時間で残存歯根上の正位置に配置されなければならない。
本発明によると、上記各方法におけるフォームは残存歯根にも適用することもできるし、さらにまた、前記圧縮キャップ内に挿入することもできる。
【００１１】
以下、本発明を添付の図面を参照しながらより詳細に説明する。
図１は、本発明の第１実施態様の圧縮キャップ１を貫く、略図で示した第１断面を示している。圧縮キャップ１は円筒形の外部輪郭２１を有しており、圧密詰め綿から製造されている。圧縮キャップ１は、開口部９を通して上方から接近可能である中空間隙７を有する。中空間隙７は、円筒形の内部輪郭２４、および底部領域２２において半球形への移行部を有する壁１３によって取り囲まれている。開口部９の縁１４は相互に対向して配置された２つの凹所１２が用意されている、そしてそれらの凹所１２によって、圧縮キャップ１がそれに対して圧縮されるとシールを形成するために歯肉嚢の領域内で残存歯根の歯間乳頭へ空間的に適合できる空間プロファイル１５を有する。
図２は、断面Ａ−Ａに沿って図１の圧縮キャップ１を貫く、略図で示した第２断面を示している。略図形のその第２断面では、開口部９の縁のプロファイル１５が明白になり、図１に示した円の扇状体の形状にある凹所１２はここでは圧縮キャップ１の中央線２７の両側に配列されている。その開口部９の縁のプロファイルされた配列は、圧縮キャップ１が、図１２に示した先行技術による圧縮キャップ４の場合に可能であるより残存歯根の上方にいっそう押されることを可能にする。これはさらにまた、初めて、圧縮キャップ１が圧排糸に押されるために使用されるのではなく、むしろ乾燥させて密封されるべき残存歯根の周囲で密封機能を実行するという事実を生じさせる。図１におけるものと同一の機能を有する成分は、同一参照記号によって表示されており、その後の図面では別個には議論しない。
【００１２】
図３は、本発明の第２実施態様の圧縮キャップ２を貫く、略図で示した断面を示している。本発明の第２実施態様では、中空間隙７の壁１３のために円錐形の内部壁輪郭２６が作り出されているが、これは開口部９の領域内の壁が、底部領域２２に向かう方向に厚くなり、したがって上記の場合と同様にこの場合には開口部の縁１４が歯間乳頭の輪郭へ穏やかに順応するのを可能にする最小肉厚ｄを有するが、他方壁１３の下方領域、および底部領域２２のすぐ近位で大きく変形することなく、下方領域が歯間乳頭に上昇した接触圧を加えることができるという長所を有する。
図４は、本発明の第３実施態様の圧縮キャップ３を貫く、略図で示した断面を示している。本発明のこの実施態様では、肉厚ｄは中空間隙７の放物線状の内部輪郭２５の結果として底部領域に向かう方向に増加する。
図５は、本発明の第４実施態様の圧縮キャップ３４を貫く、略図で示した断面を示している。先行図面におけるものと同一の機能を有する成分は、同一参照記号によって表示されており、別個には議論しない。本発明の第４実施態様は、先行実施態様とは、壁（１３）が残存歯根に適合する段３２を備える段付き内部輪郭を有する点で相違する。
図６は、本発明の第５実施態様の圧縮キャップ３５を貫く、略図で示した断面を示している。先行図面におけるものと同一の機能を有する成分は、同一参照記号によって表示されており、別個には議論しない。本発明の第５実施態様は、圧縮キャップが、同時に残存歯根を乾燥させるために相互に隣接して配列された複数の残存歯根に対して相互に隣接して配置された複数の中空間隙７を有する点で先行実施態様とは相違する。そのような種類の圧縮キャップは、圧縮キャップが複数の残存歯根を乾燥させるために相互に隣接して配置された１列の中空間隙７を有するように伸長させることができ、その場合は仕切壁３２が中空間隙７の間に配列され、仕切溝が１列に配列された複数の中空間隙から、個別圧縮キャップ、または複数の圧縮キャップを分離するために仕切壁間に配列されている。
【００１３】
図７〜１０は、残存歯根５およびその周囲領域の乾燥における方法ステップを示した図である。そのために、図７は、歯間乳頭１７によって形成され、そして残存歯根５と歯肉２０との間で溝１９を形成する歯肉嚢１８の周囲縁を備える象牙質残存歯根５を貫く断面を略図で示している。その間隙もしくは溝１９およびさらに歯肉２０の表面は、通常は唾液および微量の血液を備えていることがある体液６によって被覆されている。下記の例示を使用すると、残存歯根５の周囲のそれらの領域が本発明による圧縮キャップを用いてどのように乾燥させることができるかが明らかになるであろう。
そのために、図８は、試薬１１を用いて残存歯根５を湿潤させた後の、図７による象牙質残存歯根５を貫く、略図で示した断面を示している。その試薬１１は、さらにまた残存歯根５の端部へ単独で適用でき、または図９に示した圧縮キャップ１および残存歯根５を一緒にさせる直前に、吸収性かつ膨張性フォーム塊の試薬１１を用いた残存歯根５の湿潤化が可能ではない場合は、残存歯根５とは無関係に図９の圧縮キャップ１の中空間隙７内に注入することができる。
図９は、試薬１０を導入した後の圧縮キャップ１を貫く、略図で示した断面を示している。この試薬１０は、試薬１１と接触したときにフォーム形成反応を誘発するために必要なまた別の試薬である。このためその試薬１０は、圧縮キャップ１の底部領域２２内のゲル形で配置されており、その底部領域２２は半球形の内部輪郭２３を有する。試薬１０のゲル形は、圧縮キャップ１の材料が試薬１０を吸収することを防止する。底部領域２２に試薬１０が充填された後、圧縮キャップ１を次に図８に示した残存歯根５の上に矢印Ｂの方向に押し付けることができ、そうするとプロファイルされた縁９は残存歯根５を取り囲む歯肉２０の形状に適合してシールを形成する。
図１０は、残存歯根５を包埋する吸収性膨張性フォーム塊８が形成された後の圧縮キャップ１を貫く、略図で示した断面を示している。図８および９に示した試薬１０および１１を一緒にさせた結果として生じるフォーム塊８の膨張特性のために、歯肉嚢１８の溝１９は同時に広げられ、フォーム塊８で完全に充填され、その後に体液６がフォーム塊８の吸収特性の結果として吸い上げられる。この工程では、シール１６が本発明によって形成される開口部の縁１４の結果として作り出され、そのシール１６は歯間乳頭１７上に静止し、溝１９と一緒に歯肉嚢１８を密封する。図の中の破線２８は、その最初の形状にある圧縮キャップ１の開口部の縁１４の空間プロファイル１５の輪郭を表している。その最初の形状は、矢印Ｃの方向への圧力およびシール１６の形成の結果としてわずかに変形させられる。
図１１は、３本の隣接歯２９、３０および３１を貫く断面を略図で示しており、中央の歯３１は圧縮キャップ１の内側の膨張性フォーム塊８の中に包埋された残存歯根５を備えており、そのフォーム塊８は残存歯根５の表面を乾燥させて溝１９を広げる。破線２８は、ここでも開口部の縁１４の最初の空間プロファイル１５を示しており、そのプロファイル１５は歯間乳頭１７上でシール１６を形成する。他方、フォーム塊８内への残存歯根５の包埋中に、圧縮キャップ１はシール１６を形成するために矢印Ｄの方向に押し入れられるが、膨張性および吸収性フォーム塊８が形成された後には、例えば印象採得のためのその後の処置のために乾燥した残存歯根を入手できるようにそのフォーム塊８を吸収された体液と一緒に残存歯根５から抜去することが可能である。破線２８は、明らかに、開口部の空間的にプロファイルされた縁１４の結果として、歯肉２０がさらに口蓋領域に向かって、そして歯間乳頭１７の領域よりむしろ前頭領域に向かうように被覆されることを示し、その結果として残存歯根５の周囲全体での密封作用が本発明による圧縮キャップ１を用いて達成される。
【図面の簡単な説明】
【００１４】
【図１】本発明の第１実施態様の圧縮キャップを貫く、略図で示した第１断面を示している。
【図２】断面Ａ−Ａに沿って図１の圧縮キャップを貫く、略図で示した第２断面を示している。
【図３】本発明の第２実施態様の圧縮キャップを貫く、略図で示した断面を示している。
【図４】本発明の第３実施態様の圧縮キャップを貫く、略図で示した断面を示している。
【図５】本発明の第４実施態様の圧縮キャップを貫く、略図で示した断面を示している。
【図６】本発明の第５実施態様の圧縮キャップを貫く、略図で示した断面を示している。
【００１５】
図７〜１０は残存歯根およびその周囲領域の乾燥における方法ステップを示した図である。
【図７】歯肉嚢の周囲縁を備える象牙質残存歯根を貫く、略図で示した断面を示している。
【図８】試薬で残存歯根を湿潤させた後の、図７による象牙質残存歯根を貫く、略図で示した断面を示している。
【図９】試薬を導入した後の圧縮キャップを貫く、略図で示した断面を示している。
【図１０】残存歯根を包埋する吸収性膨張性フォーム塊の形成後の圧縮キャップを貫く、略図で示した断面を示している。
【図１１】圧縮キャップの内側で吸収性フォーム塊中に包埋されている中心残存歯根を備える３本の隣接歯を貫く略図で示した断面を示している。
【図１２】先行技術によるキャップを示した図である。
【符号の説明】
【００１６】
１  圧縮キャップ（第１実施態様）
２  圧縮キャップ（第２実施態様）
３  圧縮キャップ（第３実施態様）
４  圧縮キャップ（先行技術による）
５  残存歯根
６  体液
７  中空間隙
８  フォーム塊
９  中空間隙の開口部
１０  第１試薬
【００１７】
１１  第２試薬
１２  開口部の縁における凹所
１３  中空間隙の壁
１４  開口部の縁
１５  開口部の縁のプロファイル
１６  シール
１７  歯間乳頭
１８  歯肉嚢
１９  溝
２０  歯肉
【００１８】
２１  外部輪郭
２２  中空間隙の底部領域
２３  半球形の内部輪郭
２４  円筒形の内部輪郭
２５  放物線状の内部輪郭
２６  円錐形の内部輪郭
２７  中線
２８  破線
２９  歯
３０  歯
３１  歯
３２  仕切壁
３３  段
３４  圧縮キャップ（第４実施態様）
３５  圧縮キャップ（第５実施態様）
ｄ  中空間隙の壁の肉厚
Ａ−Ａ  断面
【図１】
2007222330.tif 000003
【図２】
2007222330.tif 000004
【図３】
2007222330.tif 000005
【図４】
2007222330.tif 000006
【図５】
2007222330.tif 000007
【図６】
2007222330.tif 000008
【図７】
2007222330.tif 000009
【図８】
2007222330.tif 000010
【図９】
2007222330.tif 000011
【図１０】
2007222330.tif 000012
【図１１】
2007222330.tif 000013
【図１２】
2007222330.tif 000014
【外国語明細書】
2007222330000001.pdf